(57)【要約】【課題】内容物放出動作開始時の応答性の改善を図る。【解決手段】ステム１１に設けたステムラバー支持用の環状段部１４の側面にテーパ面１４ａを形成し、当該テーパ面とステム１１のすり鉢状部分１３の間に静止モードにおいても放出用孔部１２ａにつながる内容物通過用の環状空間域１４ｂが形成されるようにした。ステム１１の傾動方向と放出用孔部１２ａの位置がずれている使用モードにおいてすり鉢状部分１３の肩部１３ｂがステムラバー３１から離れて通路１３ｃが形成されると、内容物は環状空間域１４ｂを経由する補助ルートを通って放出用孔部１２ａへ向かう。当該補助ルートの断面積は環状空間域１４ｂの分だけ大きいので、内容物放出開始時の応答性が良い。また、放出用孔部１２ａの断面積を下流側に行くほど小さくしているので、内容物は放出用縦通路１１ａに送出される際に加速され、放出動作開始時の応答性をより一層よいものとしている。【選択図】    図１
2004268943.tif 000002
【特許請求の範囲】
【請求項１】
外部空間と容器本体側とを連通させるための孔部を持つステムと、当該孔部に対するステムラバーとを少なくとも備え、当該孔部の外側に、前記ステムラバーを支持するための周方向段部およびその外方に広がる形の環状鍔部を設け、静止モード時には当該ステムラバーがその一周にわたって当該環状鍔部と接することにより前記連通状態を阻止するようにした内容物放出機構において、
前記周方向段部の側面部分をその下端側が内側に入り込んだ態様で形成して、当該側面部分と前記環状鍔部との間に、凹み状で前記孔部に通じる周方向空間域を確保した、
ことを特徴とする内容物放出機構。
【請求項２】
前記周方向段部の側面部分をテーパ状にした、
ことを特徴とする請求項１記載の内容物放出機構。
【請求項３】
請求項１および２記載の内容物放出機構を備え、かつ、放出用ガスおよび内容物を収容したエアゾール式製品。
【発明の詳細な説明】
【０００１】
【発明の属する技術分野】
本発明は、ステムに対する放出操作から内容物が放出するまでの時間差が少ない、いわゆる応答性の良い内容物放出機構、およびこの内容物放出機構を備えたエアゾール式製品に関する。
【０００２】
【従来の技術】
図４および図５は従来の内容物放出機構の説明図であり、図４は静止モード、図５は作動モードをそれぞれ示している。
【０００３】
これらの図において、２０はティルト式の内容物放出機構、２１はステム，２１ａは放出用縦通路，２１ｃはすり鉢状部分，２１ｄは当該すり鉢状部分に形成されて垂直方向の側面を有する環状段部，２１ｅは当該環状段部の側面部分に形成される環状隙間，２１ｇはすり鉢状部分２１ｃの外縁側の肩部，２１ｈは作動モードのときに当該肩部と後述のステムラバー３１との間に生成されて環状隙間２１ｅに連通する通路，２１ｊは環状段部２１ｄの対向する位置２箇所に形成されて放出用縦通路２１ａに連通する横通路，
３１はステムラバー，３１ａは当該ステムラバーの内側部分，
３２はハウジング，
３３はステムを上方向に付勢するスプリング，
３４はマウンテンカップ，
３５は吸上管，
をそれぞれ示している。
【０００４】
図４に示すように、ステム２１には、ステムラバー３１の内側部分３１ａの底面側を支持する環状段部２１ｄが設けられている。
【０００５】
そして静止モードのとき、この環状段部２１ｄによって支持されたステムラバー３１と、ステム２１のすり鉢状部分２１ｃとの間には横通路２１ｊに連通する環状隙間２１ｅが形成されている。
【０００６】
ステム２１を傾動させた作動モードでは、図５に示すように当該ステムの肩部２１ｇがステムラバー３１から離れて通路２１ｈが形成され、当該通路は環状隙間２１ｅに連通する。
【０００７】
それは、環状段部２１ｄがステムラバー３１の内側部分３１ａを上方向に支え、ステム２１の傾動にともなって下方に撓むかたちとなる当該内側部分の変形を抑制して環状隙間２１ｅが閉塞されないように作用するからである。
【０００８】
そして容器本体（図示省略）の内容物は、吸上管３５−ハウジング３２−通路２１ｈ−環状隙間２１ｅ−横通路２１ｊ−放出用縦通路２１ａの経路（後述の補助ルート）によっても外部空間に放出される（例えば特許文献１および特許文献２参照）。
【０００９】
なお、作動モード設定時におけるステム２１の傾動方向は利用者の操作によって任意に決められる。
【００１０】
そのため、対向位置にある二つの横通路２１ｊの延長線上のステムラバー３１部分が作動モードにおいて、ともにすり鉢状部分２１ｃから離れた開状態となる確率よりも、二つの当該横通路の一方のみが開状態となる確率のほうが大きい。
【００１１】
また、それ以上にステムの傾動方向が二つの横通路２１ｊの延長線からずれている可能性がきわめて高い。この場合、利用者の傾動操作に基づく傾動方向のステムラバー部分が先ず開いてから、横通路が上記開状態となるまでには所定の時間差が生じる。
【００１２】
上述の環状隙間２１ｅを介した経路は、このような、二つの横通路２１ｊの一方のみが上記開状態となったときの他方の横通路への内容物の移動ルートや、ステムラバー部分の一部がすり鉢状部分２１ｃから離れてはいるものの当該横通路の延長線上のステムラバー部分がまだ上記開状態となっていないときの双方の当該横通路への内容物の移動ルートを形成している。
【００１３】
すなわち、この環状隙間経路は内容物放出用のいわば補助ルートであって、これにより放出動作開始時のレスポンスを高めている。放出動作の定常状態におけるメインルートは、ステムラバー３１とすり鉢状部分２１ｃの肩部２１ｇとの間の開空間域から、上記開状態の横通路２１ｊへと直接向かう経路である。
【００１４】
【特許文献１】
実公平５−３８８４４号公報
【特許文献２】
特開２００１−１７０５２４号公報
【００１５】
【発明が解決しようとする課題】
このように上述のティルト式内容物放出機構は、ステムラバーを上方向に支える環状段部を設け、静止モードにおいても放出用孔部（横通路）につながる内容物通過用の環状隙間が形成されるようにしているので、作動モードへの移行時にはこの環状隙間を介した補助ルートにより内容物が応答性良く放出されるものとなっている。
【００１６】
本発明は、この内容物放出用の補助ルートの作用をより有効なものとして、放出動作開始時の応答性のいっそうの改善を図ることを目的とする。
【００１７】
【課題を解決するための手段】
本発明はこの課題を次のようにして解決する。
（１）外部空間と容器本体側とを連通させるための孔部（例えば後述の放出用孔部１２ａ）を持つステム（例えば後述のステム１１）と、当該孔部に対するステムラバー（例えば後述のステムラバー３１）とを少なくとも備え、当該孔部の外側に、前記ステムラバーを支持するための周方向段部（例えば後述の環状支持部１４）およびその外方に広がる形の環状鍔部（例えば後述のすり鉢状部分１３）を設け、静止モード時には当該ステムラバーがその一周にわたって当該環状鍔部と接することにより前記連通状態を阻止するようにした内容物放出機構において、前記周方向段部の側面部分をその下端側が内側に入り込んだ態様（例えば後述のテーパ面１４ａ）で形成して、当該側面部分と前記環状鍔部との間に、凹み状で前記孔部に通じる周方向空間域（例えば後述の環状空間域１４ｂ）を確保する。
（２）上記（１）において、前記周方向段部の側面部分をテーパ状（例えば後述のテーパ面１４ａ）にする。
【００１８】
本発明によれば、ステムラバーを支持する周方向段部の側面部分の下端側が内側に入り込んだ態様、例えばテーパ状にして、放出用孔部につながる周方向空間域を確保している。これにより、ステムの放出操作を行った際に内容物は確実に当該周方向空間域に流入し、内容物放出開始時の応答性の改善を図っている。
【００１９】
本発明は、以上の特徴を持つ内容物放出機構を対象とするとともに、この内容物放出機構を備えたエアゾール式製品も対象にしている。
【００２０】
【発明の実施の形態】
図１乃至図３を用いて、本発明の実施の形態を説明する。
図１は内容物放出用の補助ルートの断面積を大きく確保したティルト式内容物放出機構の作動モードを示す説明図である。図２は本発明と従来例の、ステム傾動開始時における補助ルートの内容物の流れを比較した説明図であり、（ａ）は本発明の内容物の流れ、（ｂ）は従来例の内容物の流れをそれぞれ示している。図３は、図１の内容物放出機構のステムの放出用孔部部分の詳細図を示している。
【００２１】
これらの図において、
１はティルト式内容物放出機構，
１１はステム，１１ａは放出用縦通路，１１ｂは後述の放出用孔部１２ａの周方向の幅を狭めるように設けたリブ，１２は静止モードでステムラバー３１が密着する首部，１２ａは当該首部の対向する位置二箇所に形成された放出用孔部，１３は当該ステムの一部であり下方に形成されたすり鉢状部分，１３ａは当該すり鉢状部分とステムラバー３１との環状隙間，１３ｂは当該すり鉢状部分の外縁の肩部，１３ｃは作動モードのときに当該肩部とステムラバー３１との間に生成されて環状隙間１３ａと連通する通路，１４は断面が逆ハの字状でステムラバー３１の内側部分３１ａを支えるための環状支持部，１４ａは当該環状支持部の側面であって内側に入り込むように形成されたテーパ面，１４ｂは当該テーパ面によって確保される環状空間域，１４ｃは当該環状支持部に形成されて放出用孔部１２ａに続く横通路，
Ａはテーパ面１４ａのすり鉢状部分１３からの立ち上がり角度，
Ｂは水平方向に対するすり鉢状部分１３の角度，
をそれぞれ示している。なお、その他の構成要素は従来例と同様であり、同一の参照番号を用いて説明する。
【００２２】
内容物放出機構１は、ステム１１の傾動方向が放出用孔部１２ａからずれている場合に当該内容物放出用孔部に連通する補助ルートの断面積を大きく設定して内容物放出開始時の応答性を良くしたものである。
【００２３】
図１乃至図３に示すように、内容物放出機構１の環状支持部１４は、側面が内側に入り込んでテーパ面１４ａを形成する態様である。これにより、テーパ面１４ａとすり鉢状部分１３との間に環状空間域１４ｂが確保され、前述の補助ルートの断面積を大きくすることができる。
【００２４】
なお、環状支持部１４のテーパ面１４ａの、すり鉢状部分１３からの立ち上がり角度Ａは４０°〜８０°であり、すり鉢状部分１３の角度Ｂは水平方向に対して３°〜２０°である（図２（ａ）参照）。
【００２５】
また、環状支持部１４には、ステム１１の首部１２の二箇所に形成された放出用孔部１２ａに連通する横通路１４ｃが形成されている。したがって環状空間域１４ｂは、横通路１４ｃ，放出用孔部１２ａを介して常時、放出用縦通路１１ａに連通している。
【００２６】
放出用孔部１２ａは、
・ステム１２の外側から放出用縦通路１１ａの方に進むにしたがって上下方向に狭くなり、
・放出用縦通路１１ａの内周面に設けられたリブ１１ｂによって周方向にも狭くなるように、
形成されており、下流側に行くほどその断面積を小さくした、いわゆる先細の態様である（図３参照）。
【００２７】
以下、作動モードにおいて、例えばステム１１の傾動方向が放出用孔部１２ａからずれている場合の内容物の流れについて説明する。
【００２８】
図１に示すように、ステム１１を傾動すると、すり鉢状部分１３の肩部１３ｂがステムラバー３１から離れて通路１３ｃが形成される。
【００２９】
これにより、容器本体（図示省略）の内容物は、吸上管３５−ハウジング３２−通路１３ｃ−環状隙間１３ａ−環状空間域１４ｂ−横通路１４ｃ−放出用孔部１２ａ−放出用縦通路１１ａに流入し、外部空間に放出される。
【００３０】
図２（ａ）に示すように、本発明の内容物放出機構１には、環状支持部１４にテーパ面１４ａを形成することによって環状空間域１４ｂが確保されているので、図２（ｂ）の従来例に比べて内容物放出用の補助ルートの断面積が大きい。
【００３１】
したがって、ステム１１の傾動方向が放出用孔部１２ａからずれている場合にも、内容物はこの広い環状空間域１４ｂを通過することができ、内容物放出開始時の応答性がよい。
【００３２】
また図３に示すように、放出用孔部１２ａの断面積は下流側に行くほど小さくなっているので、内容物は放出用縦通路１１ａに送出される際に加速され、ステム１１を傾動操作してから内容物が放出されるまでの時間差をより少ないものにしている。
【００３３】
なお、本発明の内容物放出機構は、
・上下方向に直線移動する押釦形式の操作部材
・直線移動と傾動との機能を備えた操作部材
なども対象とすることができる。
【００３４】
本発明が適用される製品としては、染毛剤，育毛剤，脱色剤，化粧品，シェービングフォーム，ヘアスタイリングフォーム，医薬品，外用薬，医薬部外品，コンタクトレンズ用品，液滴状のもの（ビタミンなど），塗料園芸用剤，殺虫剤，クリーナー，消臭剤，ウレタンフォーム，消火剤，潤滑剤，洗浄剤，清掃剤，制汗剤，忌避剤（殺虫剤），洗濯のりなどの各種用途のものがある。
【００３５】
また、本発明の内容物放出機構の内容物には、液状，ペースト状，ジェル状，泡状，粉状などの各種性状のものがあり、染料，脱色剤，アルカリ剤，金属塩類粉末，無機物粉末や樹脂粉末などを用いる。例えばパラフェニレンジアミン，アンモニア，過酸化水素，タルク，カオリン，アルミニウムヒドロキシクロライド（アルミ塩），硫酸バリウム，セルロース，これらの混合物などである。また、安定剤，ＰＨ調整剤，紫外線吸収剤，油性原料，界面活性剤，保湿剤，高分子化合物，酸化防止剤，金属イオン封鎖剤なども用いる。
【００３６】
エアゾール式製品の放出用ガスには、ＬＰＧ，ジメチルエーテル，フルオロカーボン，炭酸ガス，窒素ガス，圧縮空気，酸素ガス，希ガス，これらの混合ガスなどを用いる。
【００３７】
【発明の効果】
本発明は、このように、ステムラバーを支持する周方向段部の側面部分の下端側が内側に入り込んだ態様として、放出用孔部につながる周方向空間域を確保しているので、ステムの放出操作を行った際に内容物は当該周方向空間域を通過することができ、放出開始時の応答性の改善を図ることができる。
【００３８】
また、周方向段部の側面部分をテーパ状にしているので、内容物を孔部に円滑に送出することができ、放出開始時の応答性の一層の改善を図ることができる。
【図面の簡単な説明】
【図１】本発明の、内容物放出用の補助ルートの断面積を大きく確保したティルト式内容物放出機構の作動モードを示す説明図でる。
【図２】本発明と従来例の、ステム傾動開始時における補助ルートのないの流れを比較した説明図であり、（ａ）は本発明の内容物の流れ、（ｂ）は従来例の内容物の流れをそれぞれ示している。
【図３】本発明の、内容物放出機構のステムの放出用孔部部分の詳細図を示している。
【図４】従来の、ティルト式内容物放出機構の静止モードを示す説明図である。
【図５】本発明の、ティルト式内容物放出機構の作動モードを示す説明図である。
【符号の説明】
１：ティルト式内容物放出機構
１１：ステム
１１ａ：放出用縦通路
１１ｂ：リブ
１２：首部
１２ａ：放出用孔部
１３：すり鉢状部分
１３ａ：環状隙間
１３ｂ：肩部
１３ｃ：通路
１４：環状支持部
１４ａ：テーパ面
１４ｂ：環状空間域
１４ｃ：横通路
３１：ステムラバー
３１ａ：内側部分
３２：ハウジング
３３：スプリング
３４：マウンテンカップ
３５：吸上管
Ａはテーパ面１４ａのすり鉢状部分１３からの立ち上がり角度
Ｂは水平方向に対するすり鉢状部分１３の角度
【図１】
2004268943.tif 000003
【図２】
2004268943.tif 000004
【図３】
2004268943.tif 000005
【図４】
2004268943.tif 000006
【図５】
2004268943.tif 000007